(57)【特許請求の範囲】
【請求項１】
縦向きに固支される外枠(A)に開閉可能に組付けられる前枠(B)の前側に、窓枠(C)と上球皿(E)とがともに前枠(B)と横開き形態で開閉可能に装備されると共に、前枠(B)の開口領域内部にパチンコゲームを展開し得る遊技盤(D)がセットされた遊技機において、
前記外枠(A)と前枠(B)との側縁上下部に配設されて両者(A,B)を互いに開閉可能に組付け支持する第１の開閉連結支持部(J)と、前枠(B)と前記窓枠(C)との側縁上下部に配設されて両者(B,C)を互いに開閉可能に組付け支持する第２の開閉連結支持部(K)と、前枠(B)と前記上球皿(E)を装備した開閉板(29)との側縁上下部に配設されて両者(B,29)を互いに開閉可能に組付け支持する第３の開閉連結支持部(M)とを備え、
前記第１の開閉連結支持部(J)では、外枠(A)に配設された下支持部(35)に垂直に立設した軸(36)と、前枠(B)の下隅角部に固定される下支持部(37)に形成した軸孔(38)とを連結支点として、前記軸(36)と軸孔(38)とが垂直方向において嵌合する一方、外枠(A)に上隅角部に配設された上支持部(40)から垂下した状態で設けた軸(41)と、前枠(B)の上端部に配設された上支持部(43)に設けられて上面および側面に開口すると共に、該開口側面を開放可能に閉鎖するロック部材(45)を備えた軸孔(44)とを連結支点として、前記ロック部材(45)が前記軸孔(44)の開口側面を開放した状態で前記軸(41)が該軸孔(44)に対して横方向において嵌合し、
前記第２の開閉連結支持部(K)では、前記第１の開閉連結支持部(J)における前枠(B)側の上支持部(43)と前記窓枠(C)の上支持部(55)との軸(56)と軸孔(58)同志、および前枠(B)の下支持部(50)と窓枠(C)の下支持部(52)との軸(51)と軸孔(53)同志を夫々連結支点とし、
前記第３の開閉連結支持部(M)では、前記第２の開閉連結支持部(K)における前枠(B)側の下支持部(50)と前記開閉板(29)の上支持部(67)との軸(51)と軸孔(68)同志、および前枠(B)の下支持部(60)と開閉板(29)の下支持部(62)との軸(63)と軸孔(61)同志を夫々連結支点とした
ことを特徴とするパチンコ遊技機における開閉連結支持装置。
【請求項２】
前記第２の開閉連結支持部(K)では、前記前枠(B)側の上支持部(43)に形成された軸孔(58)と、前記窓枠(C)の上支持部(55)に上下変位可能に支持された可動軸(56)とを連結支点として嵌合する一方、前枠(B)中段の下支持部(50)上に固定された軸(51)と、窓枠(C)の下支持部(52)に形成された軸孔(53)とを連結支点として嵌合するように構成した請求項１記載のパチンコ遊技機における開閉連結支持装置。
【請求項３】
前記第３の開閉連結支持部(M)では、前記前枠(B)中段の下支持部(50)下に固定された軸(51)と前記上球皿(E)の開閉板(29)の上支持部(67)に形成された軸孔(68)とを連結支点として嵌合する一方、前枠(B)下段の下支持部(60)に形成された軸孔(61)と、開閉板(29)の下支持部(62)に上下変位可能に支持された可動軸(63)とを連結支点として嵌合するように構成した請求項１記載のパチンコ遊技機における開閉連結支持装置。
【発明の詳細な説明】
【０００１】
【発明の属する技術分野】
この発明は、縦向き状態で遊技に供されて機内にセットされた遊技盤の遊技領域内でパチンコゲームを展開し得る遊技機にあって、開閉式の枠・扉状部材を開閉可能に組付けるための開閉連結支持装置に関するものである。
【０００２】
【従来の技術】
パチンコ機やアレンジボール機に代表されるこの種の縦型遊技機では、その基本的構成の概要として、縦長の矩形枠状に形成した外枠の開口前面側に、各種の遊技用構成部材をセットする縦長方形の前枠が、開閉および着脱が可能に組付けられている。そして前記前枠の前面側には、該前枠の正面内部に収容セットした遊技盤の透視保護窓であるガラス扉が横開き形態で開閉可能に組付けられると共に、このガラス扉の下方には、前記遊技盤内での遊技結果として機裏側の賞球払出装置から払出された賞球を遊技球として貯留するための上球皿が、開閉板を介して同じく横開き形態で開閉可能に組付けられている。なお、下球皿および打球発射装置における打球操作部等が前記前枠の下部に装着セットされる一方、各種の球経路および球処理・払出部等を備えた機構セット盤が該前枠の裏側にセットされ、これにより一台の縦型遊技機が構成される。
【０００３】
【発明が解決しようとする課題】
ところで、前記前枠,ガラス扉および上球皿は、何れも横開き形態であるにも拘らず、夫々が専用に具備された連結支持手段を利用して開閉可能に組付け支持されている。すなわち前枠は、該前枠の左端上下と外枠の左端上下とに配設された前枠専用の連結支持手段で該外枠に開閉可能に組付けられ、またガラス扉は、該ガラス扉の左端上下と前枠左端の所定位置に配設されたガラス扉専用の連結支持手段で該前枠に開閉可能に組付けられ、更に上球皿は、該上球皿の左端上下と前枠左端の所定位置に配設された上球皿専用の連結支持手段で該前枠に開閉可能に組付けられていた。このため前枠の正面左端縁部には、該前枠,ガラス扉および上球皿用の各連結支持手段が上下方向に縦設されることとなり、遊技機前面部の構成が複雑化すると共に構造やデザイン等に様々な制約を伴っていた。また、各部材毎の連結支持手段を構成する部品点数が多くなるので組付け作業工数が増加し、パチンコ機の組付け作業の合理化および簡易化を図り得ないと共に製造コストが嵩む等の問題も内在していた。
【０００４】
【発明の目的】
本発明は、前述した課題を好適に解決するために新規に提案されたもので、縦向きで遊技に供される遊技機の主要構成部をなす枠・扉状部材の開閉連結支持部の構成の合理化を図り、枠・扉状部材同志の組付け作業の簡易化並びにコスト低下を図り得るようにしたパチンコ遊技機における開閉連結支持装置を提供することを目的とする。
【０００５】
【課題を解決するための手段】
前述した課題を克服し、所期の目的を達成するため本発明に係るパチンコ遊技機における開閉連結支持装置は、
縦向きに固支される外枠に開閉可能に組付けられる前枠の前側に、窓枠と上球皿とがともに前枠と横開き形態で開閉可能に装備されると共に、前枠の開口領域内部にパチンコゲームを展開し得る遊技盤がセットされた遊技機において、
前記外枠と前枠との側縁上下部に配設されて両者を互いに開閉可能に組付け支持する第１の開閉連結支持部と、前枠と前記窓枠との側縁上下部に配設されて両者を互いに開閉可能に組付け支持する第２の開閉連結支持部と、前枠と前記上球皿を装備した開閉板との側縁上下部に配設されて両者を互いに開閉可能に組付け支持する第３の開閉連結支持部とを備え、
前記第１の開閉連結支持部では、外枠に配設された下支持部に垂直に立設した軸と、前枠の下隅角部に固定される下支持部に形成した軸孔とを連結支点として、前記軸と軸孔とが垂直方向において嵌合する一方、外枠に上隅角部に配設された上支持部から垂下した状態で設けた軸と、前枠の上端部に配設された上支持部に設けられて上面および側面に開口すると共に、該開口側面を開放可能に閉鎖するロック部材を備えた軸孔とを連結支点として、前記ロック部材が前記軸孔の開口側面を開放した状態で前記軸が該軸孔に対して横方向において嵌合し、
前記第２の開閉連結支持部では、前記第１の開閉連結支持部における前枠側の上支持部と前記窓枠の上支持部との軸と軸孔同志、および前枠の下支持部と窓枠の下支持部との軸と軸孔同志を夫々連結支点とし、
前記第３の開閉連結支持部では、前記第２の開閉連結支持部における前枠側の下支持部と前記開閉板の上支持部との軸と軸孔同志、および前枠の下支持部と開閉板の下支持部との軸と軸孔同志を夫々連結支点としたことを特徴とする。
【０００６】
【作用】
外枠に前枠を開閉可能に組付ける第１の開閉連結支持部における上支持部は、該前枠に窓枠を開閉可能に組付ける第２の開閉連結支持部における上支持部を兼用すると共に、前記第２の開閉連結支持部における下支持部は、前記前枠に開閉板を開閉可能に組付ける第３の開閉連結支持部における上支持部を兼用する。従って、第２の開閉連結支持部における上支持部と、第３の開閉連結支持部における上支持部を省略することができ、構成部品点数の削減に伴う組付け作業の合理化と製造コストの低減が図られる。特に、第１の開閉連結支持部による前枠の外枠への組付けは、先ず外枠の下部に設けた軸と前枠の下端部に設けた軸孔とを垂直方向において嵌合させて外枠の下側と前枠の下側とを組付け、次いで、外枠の上部に設けた軸と前枠の上端部に設けた軸孔とを横方向において嵌合させて外枠の上側と前枠の上側とを組付けるようにしたので、外枠と前枠との組付け作業の合理化が図られる。
【０００７】
【発明の実施の形態】
次に本発明に係るパチンコ遊技機における開閉連結支持装置につき、好適な実施例を挙げて、添付図面を参照しながら以下詳細に説明する。なお本実施例では、縦型遊技機として、遊技店内の設置枠台(島)に所定の縦向き後傾姿勢に固定保持されて遊技に供されるパチンコ機を主に示す。
【０００８】
(パチンコ機の概略説明)
本実施例のパチンコ機Ｐは、その基本的構成の概要として図１に略示するように、外郭保持枠をなす縦長矩形状の外枠Ａの開口前面側に、各種の遊技用構成部材をセットする縦長方形の前枠Ｂが、後述する第１の開閉連結支持部Ｊおよび施錠手段を利用して横開き形態で開閉および着脱が可能に組付けられている。そしてこの前枠Ｂの前面側に、遊技盤Ｄの透視保護窓である後述のガラス扉(窓枠)Ｃと、上球皿Ｅを固定装備した開閉板２９とが、後述する第２および第３の開閉連結支持部Ｋ,Ｍを利用して共に横開き形態で開閉可能に組付け整合される。また、前枠Ｂの下部に下球皿Ｆおよび打球発射装置Ｇにおける打球操作部Ｇ1等が装着セットされ、更に前枠Ｂの裏側に各種の球経路および球処理・払出部等を備えた機構セット盤(図示せず)がセットされ、これにより一台のパチンコ機が形成される。
【０００９】
(外枠)
このようなパチンコ機Ｐにあって前記外枠Ａは、例えば図３に示すように、上下および左右の４本の枠部材３０,３１,３２,３３を枠組み連結して縦長方形に構成されて、全ての枠部材によって画成される開口前面域に前枠Ｂを整合し得るようになっている。なお本実施例に係る外枠Ａは、木材により成形された上,左の枠部材３０,３２を共通用として、樹脂材により成形された右,下の枠部材３３,３１を２通りのサイズのものに置換連結することにより、一般に「関東枠、関西枠」と呼称区分されているタイプのものに変更し得るタイプを例示している。
【００１０】
(前枠)
前記前枠Ｂは、図２に示すように全体が合成樹脂成形されたものが例示され、前記外枠Ａの開口前面域に整合する外形サイズに成形されて内側に正面縦長方形の窓枠口１１を開口した枠体１０と、この枠体１０の裏側に一体成形されて前記窓枠口１１の正面内部に臨む遊技盤用のセット口１３を開口したセット保持枠１２とが、前後に一体的に連設された内外二重枠形態とされている。そして前記枠体１０においては、窓枠口１１の下部に下球皿Ｆや前記打球発射装置Ｇの打球発射部Ｇ2等を設置するための設置盤１４が成形される一方、その中央部に賞球用の給出口１５が開口され、また窓枠口１１の上縁部および右縁部に亘り電光装飾部１６を設置するための設置部１７が成形されている。また前記窓枠口１１は、前面側から出入れ(着脱)される遊技盤Ｄのセット面域および出入れ口ともされ、その下部開口面域内に上球皿Ｅ(開閉板２９)を開閉可能に組付けセットし得るようになっている。そして、窓枠口１１の開口前面の３周縁(上縁および左右の側縁)を凹設して、ガラス扉Ｃを整合収容し得るセット面域１８が画成されている。
【００１１】
一方、前記セット保持枠１２においては、窓枠口１１の下部内側において前記上球皿Ｅに整合する位置に遊技補助盤(「遊技補助枠部」とも云う)２０が一体成形されており、この遊技補助盤２０の上端縁を基準にして前記セット口１３が開口されている。前記遊技補助盤２０には、その裏側にアウト路が形成される他に、賞球用の給出口２２およびファール球回収路２３等が成形されると共に、スピーカ２４を内蔵した球受けケース２５および発射レール部材２６がセットされる。そして、前記セット口１３における内周４ヶ所の隅部には、略４５度に形成された斜状壁部２７がセット保持枠１２に一体的に形成されており、これら各斜状壁部２７には、遊技盤Ｄ固定用の取付装置Ｈが設置されている。なお、このセット口１３の内周端面に、遊技盤Ｄに対する位置決め用の突座１９,１９が形成されている。ちなみに前枠Ｂは、枠体１０で構成されるタイプのものとして、窓枠口１１の裏側に別成形されたセット保持枠１２を整合固定するものであってもよい。
【００１２】
(外枠に対する前枠の組付け態様)
前述した外枠Ａに対する前枠Ｂの組付けについては、正面左側の側縁上,下部に配設されて両者Ａ,Ｂを互いに着脱および開閉可能に組付け支持する第１の開閉連結支持部Ｊと、右側縁に装着された施錠装置Ｉを利用して、左右方向の開閉および前側方向の着脱が可能に組付けられている。すなわち第１の開閉連結支持部Ｊは、図４および図５に示すように、上連結手段ｊ1と下連結手段ｊ2とから構成されており、上連結手段ｊ1が軸・孔の側方嵌合ロックタイプであり、下連結手段ｊ2が軸・孔の上下嵌挿連結タイプとされている。
【００１３】
(第１の開閉連結支持部における下連結手段)
そこで具体的な構成として、まず下連結手段ｊ2では、図４および図５に示すように、外枠Ａの下枠部材３１の左上端部にビス固定される下支持受具(下支持部)３５と、前枠Ｂの枠体１０の左下隅角部にビス固定される下支持具(下支持部)３７が主体とされて、下支持受具３５の水平前部３５ａに垂直固定された支軸３６の軸部３６ａが、下支持具３７の水平前部３７ａに形成した軸孔３８に対して上下方向に着脱可能に嵌挿される。このように構成された下連結手段ｊ2では、下支持受具３５,下支持具３７および支軸３６を含む強固な構造を以って、相当な重量物とされる前枠Ｂ全体の荷重を集中的に受けても充分耐久し得る連結強度が維持される。そして、軸孔３８に対して支軸３６が嵌挿されているもとでは、前枠Ｂが垂立位置の外枠Ａを基準に観て、左寄り,手前寄りおよび右寄りの広範囲内での起立姿勢に適宜傾き(１０度以上)が許容されるようになっている。
【００１４】
(第１の開閉連結支持部における上連結手段)
これに対して上連結手段ｊ1では、軸・孔を左右の広角的な方向,位置から横嵌め連結して自動ロックし得る形式として、基本的には図４および図５に示すように、外枠Ａの左上隅角部にビス固定されて水平前部４０ａに支軸４１を垂下した支持具(上支持部)４０と、前枠Ｂの枠体１０の左上端部にビス固定されて水平前部４３ａに鈎状の軸孔４４を形成した受け具(上支持部)４３とから構成されている。そして前記受け具４３の水平上面には、回動支軸４７により水平方向へ回動可能なロック部材４５が枢支され、前記軸孔４４の開口側面の閉鎖位置と開放位置とに変位するようになっている。このロック部材４５は、前記回動支軸４７に装着されたねじりバネ４６により図４における時計方向へ回動付勢されており、常には前記軸孔４４の閉鎖位置に付勢保持されている。そして、外枠Ａに対する前枠Ｂの相対的な近接により軸受出し口４８に臨んだ前記支軸４１が案内面４５ｂに当接すると、反時計方向へ回動して軸受出し口４８と軸孔４４とを連通する開放位置に変位し、軸孔４５に対する支軸４１の嵌合を許容するようになっている。また、正面右側に延出した操作片４５ａを指先で把持しながら開放位置へ回動させることも可能であり、該軸孔４４に嵌合されていた支軸４１を軸受出し口４８へ引出し得るようになっている。
【００１５】
このように構成された上連結手段ｊ1では、外枠Ａ側の支軸４１と前枠Ｂ側の軸孔４４との横嵌め係合を以って、前枠Ｂ全体の荷重を受けても充分耐久し得る連結強度が維持される。そして、前枠Ｂ側に固定された受け具４３における軸受出し口４８を枠体１０の左上隅端部の厚み方向に開口していることにより、支軸４１を基準に観て軸受出し口４８を左,前および右の各方向に亘る広角範囲内の何れの位置からでも合わせることができ、この条件によって外枠Ａに対して前枠Ｂが、広範囲内の任意の向きで組付け,組外すことが可能となっている。なお、支持具４０および受け具４１は金属材で、またロック部材４５は硬質樹脂材で夫々成形されたものを例とし、受け具４３とロック部材４５とは、互いに組付けられた１つの部材(部品)として取扱われて使用し得る。
【００１６】
(前枠に対するガラス扉の組付け態様)
前述した前枠Ｂに対する前記ガラス扉Ｃの組付けについては、正面左側の側縁上,下部に配設されて両者Ｂ,Ｃを互いに着脱および開閉可能に組付け支持する第２の開閉連結支持部Ｋと、右側縁に装着された前記施錠装置Ｉを利用して、左右方向の開閉および上下方向の着脱が可能に組付けられている。すなわち第２の開閉連結支持部Ｋは、図４および図５に示すように上連結手段ｋ1と下連結手段ｋ2とから構成されており、上連結手段ｋ1が軸・孔の上下嵌合連結タイプであり、下連結手段ｋ2が軸・孔の上下嵌挿連結タイプとされている。
【００１７】
(第２の開閉連結支持部における下連結手段)
前記下連結手段ｋ2では、図４および図５に示すように、前枠Ａの枠体１０における左端前面の略中段部に固定された下支持受具(下支持部)５０と、ガラス扉Ｃの扉体３４の左下隅角部に固定された下支持具(下支持部)５２が主体とされて、下支持受具５０の水平前部５０ａに垂直固定された支軸５１の上軸部５１ａが、下支持具５２の水平前部５２ａに形成した軸孔５３に対して上下方向に着脱可能に嵌挿される。このように構成された下連結手段ｋ2では、下支持受具５０,下支持具５２および支軸５１を含む構造を以って、ガラス扉Ｃ全体の荷重を集中的に受けても充分耐久し得る連結強度が維持される。
【００１８】
(第２の開閉連結支持部における上連結手段)
これに対し上連結手段ｋ1では、図４および図５に示すように、前記第１の開閉連結支持部Ｊにおける前枠Ｂ側の受け具(上支持部)４３と、ガラス扉Ｃの扉体３４の左上隅部内側に配設された支持部材(上支持部)５５とが主体とされ、支持部材５５の筒部５５ａに配設した可動軸５６の軸部５６ａが、前記受け具４３の水平前部４３ａに形成した軸孔５８に下方から嵌挿連結されるようになっている。前記可動軸５６は略Ｍ字形に折曲げ成形され、前記軸部５６ａが筒部５５ａに内嵌されて上下動可能に装着され、扉体３４と係止部５６ｂとの間に端部接続された引張りコイルバネ５７により、常には上方へ付勢されて前記軸部５６ａを上方へ突出させた状態に保持されている。
【００１９】
(前枠に対する開閉板の組付け態様)
前述した前枠Ｂに対する前記開閉板２９の組付けについては、正面左側の側縁上,下部に配設されて両者Ｂ,２９を互いに着脱および開閉可能に組付け支持する第３の開閉連結支持部Ｍと、右側縁に装着された施錠装置Ｉを利用して、左右方向の開閉および上下方向の着脱が可能に組付けられている。すなわち第３の開閉連結支持部Ｍは、図４および図５に示すように上連結手段ｍ1と下連結手段ｍ2とから構成されており、上連結手段ｍ1が軸・孔の上下嵌合連結タイプであり、下連結手段ｍ2が軸・孔の上下嵌挿連結タイプとされている。
【００２０】
(第３の開閉連結支持部における下連結手段)
そこで具体的な構成として、まず下連結手段ｍ2では、図４および図５に示すように、前枠Ａの枠体１０における左端前面の中段下方にビス固定される下支持受具(下支持部)６０と、開閉板２９の左下隅角部に固定された下支持具(下支持部)６２が主体とされ、下支持具６２に配設した可動軸６３の軸部６３ａが、下支持受具６０の水平前部６０ａに形成した軸孔６１に上方から嵌挿連結されるようになっている。前記可動軸６３は略Ｍ字形に折曲げ成形され、下支持具６２の上下端に形成した支持片６２ａ,６２ａ間に架設されて上下動可能に装着され、フランジ部６３ｂと上の支持片６２ａとの間で軸部６３ａに外装された圧縮コイルバネ６４により、常には下方へ付勢されて前記軸部６３ｂを下方へ突出させた状態に保持されている。このように構成された下連結手段ｍ2では、下支持受具６０,下支持具６２および可動軸６３を含む構造を以って、貯留した遊技球の重さを含む上球皿Ｅ全体の荷重を集中的に受けても充分耐久し得る連結強度が維持される。
【００２１】
(第３の開閉連結支持部における上連結手段)
これに対し上連結手段ｍ1では、図４および図５に示すように、前記第２の開閉連結支持部Ｋにおける前枠Ｂ側の下支持受具(下支持部)５０と、開閉板２９の左上隅部外側にビス固定される上支持具(上支持部)６７とが主体とされ、下支持受具５０の水平前部５０ａに配設した前記支軸５１の下軸部５１ｂが、前記上支持具６７の水平前部６７ａに形成した軸孔６８に上方から嵌挿連結されるようになっている。
【００２２】
このように、本実施例に係る開閉連結支持装置では、前枠Ｂを外枠Ａに組付ける第１の開閉連結支持部Ｊにおける上支持手段ｊ1の受け具４３が、ガラス扉Ｃを前枠Ｂに組付ける第２の開閉連結支持部Ｋにおける上支持手段ｋ1の上支持部材を兼用すると共に、第２の開閉連結支持部Ｋにおける下支持手段ｋ2の下支持受具５０が、開閉板２９を前枠Ｂに組付ける第３の開閉連結支持部Ｍにおける上支持手段ｍ1の上支持部材を兼用するよう構成されている。
【００２３】
【実施例の作用】
次に、前述のように構成された本実施例に係るパチンコ遊技機における開閉連結支持装置の作用につき説明する。本実施例の開閉連結支持装置は、前述したように、前枠Ｂを外枠Ａに横開きの開閉可能に組付ける第１の開閉連結手段Ｊと、ガラス扉Ｃを前枠Ｂに横開きの開閉可能に組付ける第２の開閉連結手段Ｋと、上球皿Ｅを固定する開閉板２９を前枠Ｂに横開きの開閉可能に組付ける第３の開閉連結手段Ｍとを備えている。
【００２４】
(外枠に対する前枠の組付け)
前枠Ｂを外枠Ａに横開きの開閉可能に組付ける第１の開閉連結支持部Ｊでは、前枠Ｂ側の受け具４３に形成された軸孔４４と、外枠Ａの支持具４０に支持された支軸４１とを連結支点として嵌合する一方、外枠Ａの下部に配設された下支持受具３５上に固定された支軸３６と、前枠Ｂの下支持具３７に形成された軸孔３８とを連結支点として嵌合するように構成されている。従って第１の開閉連結支持部Ｊによる前枠Ｂの外枠Ａへの組付けは、先ず前記下連結手段ｊ2における外枠Ａ側の下支持受具３５の軸部３６に、前枠Ｂ側の下支持具３７の軸孔３８を上方から整合させて該軸部３６を軸孔３８へ嵌挿させ、次いで前記上連結手段ｊ1において、前枠Ｂを外枠Ａへ位置決めする過程で外枠Ａ側の支軸４１は、前枠Ｂ側の軸受出し口４８に位置決めされると共にロック部材４５の案内面４５ｂを当接しながら軸孔４４へ自動的に嵌合され、前枠Ｂは外枠Ａに対して横開きの開閉が可能に組付けられる。
【００２５】
(前枠に対するガラス扉の組付け)
ガラス扉Ｃを前枠Ｂに横開きの開閉可能に組付ける第２の開閉連結支持部Ｋでは、前枠Ｂ側の受け具４３に形成された軸孔５８と、ガラス扉Ｃの支持部材５５に上下変位可能に支持された可動軸５６とを連結支点として嵌合する一方、前枠Ｂの略中段に配設された下支持受具５０上に固定された支軸５１と、ガラス扉Ｃの下支持具５２に形成された軸孔５３とを連結支点として嵌合するように構成されている。従って第２の開閉連結支持部Ｋによるガラス扉Ｃの組付けは、先ず前記下連結手段ｋ2における前枠Ｂ側の下支持受具５０の上軸部５１ａに、ガラス扉Ｃ側の下支持具５２の軸孔５３を上方から整合させて該上軸部５１ａを軸孔５３へ嵌挿させ、次いで前記上連結手段ｋ1において、ガラス扉Ｃ側の可動軸５６を下方へ押下げた状態で筒部５５ａを軸孔５８に整合させ、該可動軸５６に対する押圧を解除することで上軸部５１ａが軸孔５８に突入し、ガラス扉Ｃは前枠Ｂに対して横開きの開閉が可能に組付けられる。
【００２６】
(前枠に対する開閉板の組付け)
前記開閉板２９を前枠Ｂに横開きの開閉可能に組付ける第３の開閉連結支持部Ｍでは、前枠Ｂ側の下支持受具５０に固定した支軸５１と、開閉板２９の上支持具６７に形成した軸孔６８とを連結支点として嵌合する一方、前枠Ｂの略中段下部に固定した下支持受具６０に形成された軸孔６１と、開閉板２９の下支持具６２に上下動可能に配設された可動軸６３とを連結支点として嵌合するように構成されている。従って第３の開閉連結支持部Ｍによる開閉板２９の組付けは、先ず前記上連結手段ｍ1における前枠Ｂ側の下支持受具５０の下軸部５１ｂに、開閉板２９側の上支持具６７の軸孔６８を下方から整合させて該下軸部５１ｂを軸孔６８へ嵌挿させ、次いで前記下連結手段ｍ2において、開閉板２９側の可動軸６３を上方へ押上げた状態で軸部６３ａの先端を軸孔６１に整合させ、該可動軸６３に対する押圧を解除することで軸部６３ａが軸孔６１に突入し、開閉板２９は前枠Ｂに対して横開きの開閉が可能に組付けられる。
【００２７】
このように本実施例の開閉連結支持装置では、前枠Ｂを外枠Ａに組付けるための第１の開閉連結支持部Ｊにおける上連結手段ｊ1の受け具４３が、ガラス扉Ｃを前枠Ｂに組付けるための第２の開閉連結支持部Ｋの上連結手段ｋ1を兼用すると共に、この第２の開閉連結支持部Ｋにおける下連結手段ｋ2の下支持受具５０が、開閉板２９を前枠Ｂに組付けるための第３の開閉連結支持部Ｍの上連結手段ｍ1を兼用するようになっている。すなわち、第２の開閉連結支持部Ｋにおける上連結手段ｋ1を構成する支持部材と、第３の開閉連結支持部Ｍにおける上連結手段ｍ1を構成する支持部材が、夫々省略されたものとなっている。従って、各部材毎の連結支持手段を構成する部品点数が少なくなるので、組付け工程数が減少して組付けの合理化が図られると共に、製造コストを低減させ得る利点もある。
【００２８】
また、例えば図１から明らかな如く、外枠Ａ,前枠Ｂ,ガラス扉Ｃ,開閉板２９(上球皿Ｅ)の各部材の左端部を一致させることができるから、パチンコ機Ｐの前面部の構成が簡素化すると共に、前枠Ｂを中心としたガラス扉Ｃ,上球皿Ｅ,下球皿Ｆ等、パチンコ機Ｐの前面に臨む部材のデザインの自由度を高めることが可能である。
【００２９】
【発明の効果】
以上説明した如く、本発明に係るパチンコ遊技機における開閉連結支持装置によれば、前枠を外枠に組付けるための第１の開閉連結支持部における上支持部が、窓枠を前枠に組付けるための第２の開閉連結支持部の上支持部を兼用すると共に、この第２の開閉連結支持部における下支持部が、開閉板を前枠に組付けるための第３の開閉連結支持部の上支持部を兼用するようになっている。従って、各部材毎の連結支持手段を構成する部品点数が少なくなるので、組付け工程数が減少して組付けの合理化が図られると共に、製造コストの低減を図り得る利点がある。また、外枠,前枠,窓枠,開閉板(上球皿)の各部材の左端部を一致させることができるから、遊技機の前面部の構成が簡素化すると共に、前枠を中心とした窓枠,上球皿,下球皿等、遊技機の前面に臨んだ各部材のデザインの自由度を高めることが可能である。特に、第１の開閉連結支持部による前枠の外枠への組付けは、先ず外枠の下部に設けた軸と前枠の下端部に設けた軸孔とを垂直方向において嵌合させて外枠の下側と前枠の下側とを組付け、次いで、外枠の上部に設けた軸と前枠の上端部に設けた軸孔とを横方向において嵌合させて外枠の上側と前枠の上側とを組付けるようになっているので、外枠と前枠との組付け作業の合理化が図られる。
【図面の簡単な説明】
【図１】本実施例のパチンコ機を概略で示す正面図である。
【図２】本実施例のパチンコ機における前枠を概略で示す正面図である。
【図３】本実施例のパチンコ機における外枠を概略で示す正面図である。
【図４】本実施例の開閉連結支持装置の連結形態を概略で示す斜視図である。
【図５】本実施例の開閉連結支持装置の連結形態を概略で示す要部拡大図である。
【符号の説明】
２９ 開閉板
３５ 下支持受具(下支持部)
３６ 支軸
３７ 下支持具(下支持部)
３８ 軸孔
４０ 支持具(上支持部)
４１ 支軸
４３ 受け具(上支持部)
４４ 軸孔
４５ ロック部材
５０ 下支持受具(下支持部)
５１ 支軸
５２ 下支持具(下支持部)
５３ 軸孔
５５ 支持部材(上支持部)
５６ 可動軸(軸)
５８ 軸孔
６０ 下支持受具(下支持部)
６１ 軸孔
６２ 下支持具(下支持部)
６３ 可動軸(軸)
６７ 上支持具(上支持部)
６８ 軸孔
Ａ 外枠
Ｂ 前枠
Ｃ 窓枠
Ｄ 遊技盤
Ｅ 上球皿
Ｊ 第１の開閉連結支持部
Ｋ 第２の開閉連結支持部
Ｍ 第３の開閉連結支持部
【図１】
0004189615.tif 000002
【図２】
0004189615.tif 000003
【図３】
0004189615.tif 000004
【図４】
0004189615.tif 000005
【図５】
0004189615.tif 000006